(57)【特許請求の範囲】
【請求項１】
画像を記録もしくは再生するための記録再生部と、
前記画像を表示する画像表示面を有する画像表示部と、
前記記録再生部に対して前記画像表示部を開閉可能に取り付けるとともに、前記画像表示部が前記記録再生部に対して開状態となるときに、前記画像表示部を前記記録再生部に対して回転可能に取り付ける２軸ヒンジと、
前記画像表示部の前記画像表示面と同一面側で、前記２軸ヒンジが取り付けられる一端とは反対側の端側に配置される複数方向操作スイッチと、
前記画像表示部の前記記録再生部に対する開閉状態を検知する開閉検知手段と、
前記画像表示部の前記記録再生部に対する回転状態を検知する回転検知手段と、
前記開閉検知手段の検知状態および前記回転検知手段の検知状態により、前記複数方向操作スイッチからの入力を有効あるいは無効とする制御を行う制御手段とを備えることを特徴とする画像記録再生装置。
【請求項２】
画像を記録もしくは再生するための記録再生部と、
前記画像を表示する画像表示面を有する画像表示部と、
前記記録再生部に対して前記画像表示部を開閉可能に取り付けるとともに、前記画像表示部が前記記録再生部に対して開状態となるときに、前記画像表示部を前記記録再生部に対して回転可能に取り付ける２軸ヒンジと、
前記画像表示部の前記画像表示面と同一面側で、前記２軸ヒンジが取り付けられる一端とは反対側の端側に配置され、前記画像表示面より突出した形状を有する複数方向操作スイッチとを備えた画像記録再生装置であって、
前記画像表示部の前記画像表示面が前記記録再生部と向かい合うように、前記画像表示部を前記記録再生部に対して閉じたときに、前記複数方向操作スイッチと前記記録再生部が接触しないように、前記記録再生部の前記複数方向操作スイッチに対応する部分に凹部を形成することを特徴とする画像記録再生装置。
【請求項３】
前記複数方向操作スイッチは画像表示部の外縁側面部より突出した形状であって、画像表示部が閉状態の時は前記突出した部分が指掛かり部となることを特徴とする請求項１または２に記載の画像記録再生装置。
【発明の詳細な説明】
【技術分野】
【０００１】
本発明は撮像部等から入力、または記録媒体に記録された画像情報を画像表示部で再生表示可能な画像記録再生装置に関するものである。
【背景技術】
【０００２】
従来の画像記録再生装置では、図１４や特許文献１のように複数方向操作スイッチを本体側に配置しているものがある。特に特許文献１の複数方向操作スイッチは、画像表示部の回動及び回転に伴う向きに合わせて、操作キーの４つの端部に割り当てられる画像表示部の表示画面内における方向が変更されるように構成されている。
【特許文献１】特開２００３−６０９４９号公報
【発明の開示】
【発明が解決しようとする課題】
【０００３】
しかしながら、上記従来例では複数方向操作スイッチを本体側に配置しているため、撮影中に複数方向操作スイッチを操作する場合、本体を把持していない手（例えば左手）の位置を移動して複数方向操作スイッチを操作する必要がある。また複数方向操作スイッチを操作する際に、液晶モニタ等の画像表示エリアを隠してしまう可能性があり、画像表示部の開閉、回転の状態によっては操作しにくい配置となる可能性がある。
【０００４】
また例えば、複数方向操作スイッチを画像表示部の画像表示面と同一面以外に配置した場合、複数方向操作スイッチは突出した形状で目立つためデザイン性を損なったり、操作方向を間違える可能性がある。
【０００５】
また、複数方向操作スイッチを画像表示部の画像表示面と同一面に配置した場合、スイッチの入力を常時受け付ける場合は開閉時に誤動作の可能性がある。そのため、複数方向操作スイッチと画像記録再生装置本体側との間に隙間を多く取る必要があり、小型化、軽量化、薄型化の妨げとなる。
【０００６】
本出願に係る発明の目的は画像表示部が画像記録再生装置本体に対してどの状態にあるときでも、複数方向操作スイッチが操作しやすい位置に配置されており、小型化、軽量化、薄型化、デザイン性を損なうことのない画像記録再生装置を提供することである。
【課題を解決するための手段】
【０００７】
本発明の画像記録再生装置は、画像を記録もしくは再生するための記録再生部と、前記画像を表示する画像表示面を有する画像表示部と、前記記録再生部に対して前記画像表示部を開閉可能に取り付けるとともに、前記画像表示部が前記記録再生部に対して開状態となるときに、前記画像表示部を前記記録再生部に対して回転可能に取り付ける２軸ヒンジと、前記画像表示部の前記画像表示面と同一面側で、前記２軸ヒンジが取り付けられる一端とは反対側の端側に配置される複数方向操作スイッチと、前記画像表示部の前記記録再生部に対する開閉状態を検知する開閉検知手段と、前記画像表示部の前記記録再生部に対する回転状態を検知する回転検知手段と、前記開閉検知手段の検知状態および前記回転検知手段の検知状態により、前記複数方向操作スイッチからの入力を有効あるいは無効とする制御を行う制御手段とを備えることを特徴としている。
【０００８】
また、本発明の画像記録再生装置は、画像を記録もしくは再生するための記録再生部と、前記画像を表示する画像表示面を有する画像表示部と、前記記録再生部に対して前記画像表示部を開閉可能に取り付けるとともに、前記画像表示部が前記記録再生部に対して開状態となるときに、前記画像表示部を前記記録再生部に対して回転可能に取り付ける２軸ヒンジと、前記画像表示部の前記画像表示面と同一面側で、前記２軸ヒンジが取り付けられる一端とは反対側の端側に配置され、前記画像表示面より突出した形状を有する複数方向操作スイッチとを備えた画像記録再生装置であって、前記画像表示部の前記画像表示面が前記記録再生部と向かい合うように、前記画像表示部を前記記録再生部に対して閉じたときに、前記複数方向操作スイッチと前記記録再生部が接触しないように、前記記録再生部の前記複数方向操作スイッチに対応する部分に凹部を形成することを特徴としている。
【発明の効果】
【００１３】
以上説明したように本発明によれば、画像表示部が画像記録再生装置本体に対してどの状態にあるときでも、複数方向操作スイッチが操作しやすい位置に配置されており、小型化、軽量化、薄型化、デザイン性を損なうことのない画像記録再生装置を提供することができる。
【発明を実施するための最良の形態】
【００１４】
以下、本発明を実施するための形態に関して説明する。
【実施例１】
【００１５】
図１は本発明の特徴を最もよく表す図画であり、同図において１０は本発明にかかる画像記録再生装置本体であり、本実施例ではビデオカメラを例にとり説明する。１１は画像記録再生装置１０の電源のＯＮ／ＯＦＦと撮像モードと再生モードを切り替える電源／モードスイッチである。２０は画像記録再生装置１０で撮像または再生される画像を表示する画像表示エリア、２１は画像表示エリア２０を含む画像表示部である。２２は画像記録再生装置本体１０の動作を操作する操作スイッチで複数方向へ操作できる。例えば画像記録再生装置１０の図示しない記録媒体に記録された画像の再生制御や、メニュー項目の選択や決定など画像記録再生装置１０のモードによりさまざまな動作を操作できる複数方向操作スイッチである。この複数方向操作スイッチ２２は、本実施例では可倒式のジョイスティックとなっている。また、複数方向操作スイッチ２２はその可動部が画像表示エリア２０の法線方向に突出している。この複数方向操作スイッチ２２は、可動部を可倒せずに画像表示エリア２０に向かって法線方向（可動部の軸方向）に押下できる機能を備えても良く、例えば、メニューで選択された項目を決定する際に押すことでその項目が決定される。そうすることで、選択スイッチと決定スイッチを別々に設ける無駄がなくなる。１２は画像表示部２１を収納する収納部、１３は画像表示部２１が画像記録再生装置１０の収納部１２に収納された際に、複数方向操作スイッチ２２の突出部分が画像記録再生装置１０に当たらないようにした凹部形状である。１４はビューファインダーである。
【００１６】
図２は図１の画像表示部２１を取り出した詳細図であり、３０は画像表示部２１を画像記録再生装置１０へ取り付け、画像表示部２１を開閉、回転するためのヒンジユニットである。３１ａ、３１ｂはヒンジユニット３０を画像記録再生装置１０へ固定するヒンジベースであり、３２ａ、３２ｂは画像表示部２１を開閉するための開閉軸、３３は画像表示部２１を回転するための回転軸である。３７は画像表示部２１の回転状態を検知する回転検知スイッチ、３７ａは回転検知スイッチ３７の一部でスイッチ側レバーである。３８は画像表示部２１と同期してヒンジユニット３０の回転軸３３中心に回転するスイッチプレート、３８ａはスイッチプレート３８の一部で回転検知スイッチ３７のスイッチ側レバー３７ａを蹴り回転検知スイッチ３７をＯＮ／ＯＦＦするためのレバーである。複数方向操作スイッチ２２は画像表示部２１の画像表示エリア２０がある側の面と同一面上にある。特に画像表示部２１の開閉、回転するためのヒンジユニット３０がある一端と対向する他端側の画像表示エリア２０近傍に配置されている。この複数方向操作スイッチ２２以外の他のスイッチが同一面上にある場合、複数方向操作スイッチ２２は他のスイッチよりもヒンジユニット３０から遠いほうが良い。通常、押す機能だけしかない他のスイッチよりも、複数方向に操作機能があるスイッチを操作する機会のほうが多い。したがって、記録再生装置１０に手がぶつかることなく、かつ、画像表示エリアを手が覆って邪魔にならないようにするためには複数方向操作スイッチ２２を遠い位置に配置するのが良いということになる。
【００１７】
図３は画像表示部２１が画像記録再生装置１０の収納部１２に収納された状態を示し、画像記録再生装置１０の電源がＯＦＦ状態あるいは電源ＯＮ状態でビューファインダー１４使用時の状態である。１５は撮像レンズである。ここで、複数方向操作スイッチ２２は図１や図３の画像表示部２１の外縁側面部から外側（紙面下方向）に突出している。複数方向操作スイッチはその構成上他の操作部材よりもどうしても大きい部材になってしまい、画像表示部の小型化のためには突出せざるを得ないためである。図３のように画像表示部が画像表示エリアを内側にして閉状態にある場合、この突出部分は画像表示部を開状態にする際には指掛かり部となり、使用者は容易に開くことができるものとなる。
【００１８】
ここで、図１は画像表示部２１を開閉するための開閉軸３２ａ、３２ｂを中心に本体側面に対して略９０度開方向に回転した状態を示し、画像記録再生装置１０の通常の撮影時の状態である。
【００１９】
図４は図１の状態から画像表示部２１を回転させるための回転軸３３を中心に略１８０度回転した状態を示し、画像記録再生装置１０の対面撮影時の状態である。
【００２０】
図５は図４の状態から画像表示部２１を開閉するための開閉軸３２ａ、３２ｂを中心に閉方向に９０度回転し、画像記録再生装置１０の収納部１２に収納された状態を示し、画像記録再生装置１０の反転収納時の状態である。
【００２１】
図６、図７はそれぞれ、図３、図５より画像表示部２１を取り出し前面側（撮影時被写体側）より見た図である。図６は回転検知スイッチ３７のスイッチ側レバー３７ａがスイッチプレート３８のレバー３８ａで押されておらず画像表示エリア２０が本体側面に対して略０度位置の状態であることを検知している。図７は回転検知スイッチ３７のスイッチ側レバー３７ａがスイッチプレート３８のレバー３８ａで押されており、画像表示エリア２０が本体に対して略１８０度回転されて外側に向いた位置の状態であることを検知している。
【００２２】
図８、図９はそれぞれ、図１、図３より画像表示部２１を取り出し画像記録再生装置本体底面側より見た図である。３４はヒンジユニット３０の表側を覆うカバーＴ、３５は画像記録再生装置１０の本体側に取り付けられ画像表示部２１の開閉状態を検知する開閉検知スイッチ、３５ａは開閉検知スイッチ３５の一部でスイッチ側レバーである。３６はヒンジユニット３０の本体側を覆うカバーＢ、３６ａはカバーＢの一部で画像表示部２１がヒンジユニット３０の開閉軸３２ｂ中心に開閉し、開閉検知スイッチ３５のスイッチ側レバー３５ａをＯＮ／ＯＦＦするためのリブである。図８ｂは図８ａの開閉検知スイッチ３５部分を拡大した図である。図８は開閉検知スイッチ３５のスイッチ側レバー３５ａがカバーＢ３６のリブ３６ａで押されておらず、画像表示部２１が開位置の状態であることを検知している。かつ、図６で示すように回転検知スイッチ３７のスイッチ側レバー３７ａがスイッチプレート３８のレバー３８ａで押されておらず、画像表示エリア２０が本体側に向いていることを検知している。図９は開閉検知スイッチ３５のスイッチ側レバー３５ａがリブ３６ａで押されており画像表示部２１が閉位置の状態であることを検知している。かつ、図６で示すように回転検知スイッチ３７のスイッチ側レバー３７ａがスイッチプレート３８のレバー３８ａで押されておらず、画像表示エリア２０が本体側面に対して略０度位置の状態であることを検知している。
【００２３】
図１０、図１１は図４、図５より画像表示部２１を取り出し底面側より見た図である。図１０は開閉検知スイッチ３５のスイッチ側レバー３５ａがカバーＢ３６のリブ３６ａで押されておらず画像表示部２１が開位置の状態であることを検知している。かつ、図７で示すように回転検知スイッチ３７のスイッチ側レバー３７ａがスイッチプレート３８のレバー３８ａで押されており、画像表示エリア２０が本体外側に向いていることを検知している。図１１は開閉検知スイッチ３５のスイッチ側レバー３５ａがリブ３６ａで押されており、画像表示部２１が閉位置の状態であることを検知している。かつ、図７で示すように回転検知スイッチ３７のスイッチ側レバー３７ａがスイッチプレート３８のレバー３８ａで押されており、画像表示エリア２０が本体側面に対して略１８０度位置の状態であることを検知している。
【００２４】
図１２は図３の状態での複数方向操作スイッチ２２近傍の断面図である。２４は複数方向操作スイッチ２２が実装され、画像記録再生装置１０内の図示しない制御回路に接続される回路基板である。１３は画像表示部２１の収納時に、複数方向操作スイッチ２２が画像記録再生装置１０に当たらないようにした凹部形状である。図１２の画像記録再生装置１０において、画像表示部２１および複数方向操作スイッチ２２と対向する角部１３ａは図のように曲面上に構成されている。これは例えば、画像表示部２１がねじれ方向の力が加わりながら収納されてしまったような場合に、複数方向操作スイッチ２２が画像記録再生装置１０の上記角部に引っかかって押されたりしないようにするためである。
【００２５】
画像記録再生装置１０は画像表示部２１を開閉、回転するためのヒンジユニット３０により、図１、図３、図４、図５の状態へ移動可能である。そして、開閉検知スイッチ３５、回転検知スイッチ３７により画像表示部２１がどの状態にあるかを検知し、画像記録再生装置１０内の図示しない制御回路に情報を伝える。
【００２６】
図１３は画像記録再生装置１０の動作を示すフローチャートである。Ｓ１では画像記録再生装置１０のモードスイッチ１１のモード選択位置により電源がＯＮかＯＦＦかを判断する。電源ＯＮであると判断されると、Ｓ２では画像表示部２１の開閉状態を検知する開閉検知スイッチ３５が開か閉のどちらを検知しているかを判断する。Ｓ３ではＳ２で開閉検知スイッチ３５が開を検知している時に、複数方向操作スイッチ２２からの入力情報を有効にする。Ｓ４では画像表示部２１の回転状態を検知する回転検知スイッチ３７が所定の角度を検知（例えばここでは０度か１８０度）したことを判断する。Ｓ５ではＳ４で回転検知スイッチ３７が０度を検知した時に複数方向操作スイッチ２２からの入力情報を無効にする。
【００２７】
図１（図６、図８）の状態でのフローの進行を説明する。Ｓ１で電源ＯＮの状態で開閉検知スイッチ３５の状態は図８より開の状態を検知しており、Ｓ３で複数方向操作スイッチ２２からの入力情報は有効となる。そして、複数方向操作スイッチ２２からの信号を画像記録再生装置１０内の図示しない制御回路が受信する。そして、画像記録再生装置１０の各モードにより割り当てられた機能が働くように、画像記録再生装置１０内の図示しない制御回路が画像記録再生装置１０を制御する。
【００２８】
図４（図７、図１０）の状態でのフローの進行を説明する。Ｓ１で電源ＯＮの状態で開閉検知スイッチ３５の状態は図１０より開の状態を検知しており、Ｓ３で複数方向操作スイッチ２２からの入力情報は有効となる。そして複数方向操作スイッチ２２からの信号を画像記録再生装置１０内の図示しない制御回路が受信する。そして、画像記録再生装置１０の各モードにより割り当てられた機能が働くように、画像記録再生装置１０内の図示しない制御回路が画像記録再生装置１０を制御する。
【００２９】
図５（図７、図１１）の状態でのフローの進行を説明する。Ｓ１で電源ＯＮの状態で開閉検知スイッチ３５の状態は図１１より閉の状態を検知しておりＳ４に進む。Ｓ４では回転検知スイッチの状態は図７より略１８０度の状態を検知しており、Ｓ３で複数方向操作スイッチ２２からの入力情報は有効となる。複数方向操作スイッチ２２が操作されると、複数方向操作スイッチ２２からの信号を画像記録再生装置１０内の図示しない制御回路が受信する。そして、画像記録再生装置１０の各モードにより割り当てられた機能が働くように、画像記録再生装置１０内の図示しない制御回路が画像記録再生装置１０を制御する。
【００３０】
図３（図６、図９）の状態でのフローの進行を説明する。Ｓ１で電源ＯＮの状態で開閉検知スイッチ３５の状態は図９より閉の状態を検知しておりＳ４に進む。回転検知スイッチの状態は図６より略０度の状態を検知しており、Ｓ５で複数方向操作スイッチ２２からの入力情報は無効となる。複数方向操作スイッチ２２が操作されても、複数方向操作スイッチ２２からの信号を画像記録再生装置１０内の図示しない制御回路が受信せず制御をおこなわない。
【００３１】
以上説明したように本発明による画像記録再生装置１０は、複数方向操作スイッチ２２が画像表示部２１の画像表示エリア２０がある側の面と同一面上で、ヒンジユニット３０がある一端と対向する他端側の画像表示エリア２０近傍に配置されている。図１の状態で撮影する場合、画像記録再生装置１０を右手でホールドしたとする。その際、左手を画像表示部２１のヒンジユニット３０の他端側に添えることになり、複数方向操作スイッチ２２を操作しやすい位置に左手を置くことができる。
【００３２】
図４の状態でビューファインダーを覗きながら撮影する場合も同様に左手を画像表示部２１のヒンジユニット３０の他端側に添えることになり、複数方向操作スイッチ２２を操作しやすい位置に左手を置くことができる。また撮像レンズを自分に向け画像記録再生装置１０を左手でホールドする場合、右手を画像表示部２１のヒンジユニット３０の他端側に添えることになり、複数方向操作スイッチ２２を操作しやすい位置に右手を置くことができる。
【００３３】
図５の状態で再生画像を確認のため、画像記録再生装置１０の前方側を左手でホールドする場合、右手を画像表示部２１のヒンジユニット３０の他端側に添えることになり、複数方向操作スイッチ２２を操作しやすい位置に右手を置くことができる。
【００３４】
画像記録再生装置１０の画像表示部２１がどのような位置にあっても複数方向操作スイッチ２２は常に操作しやすい位置に配置されていることになる。
【００３５】
図３のように複数方向操作スイッチ２２を使用しない状態においては、複数方向操作スイッチ２２からの入力情報は無効としている。たとえ、複数方向操作スイッチ２２が凹部形状１３に誤って触れ、スイッチがＯＮするところまで動作したとしても、図示しない制御回路が受信しないのでユーザーが意図しない動作をすることがない。
【００３６】
また、角部１３ａも設けることで、画像表示部の取り付けがたや、各部品寸法のばらつき、複数方向操作スイッチの実装位置精度等を考慮し、凹部形状１３を大きくする必要がなく、画像記録再生装置１０の小型化、薄型化、軽量化への妨げとならない。
【００３７】
また、複数方向操作スイッチ２２を画像表示部２１の画像表示エリア２０がある側の面と同一面上に配置したため、本体側に突出した形状の複数方向操作スイッチ２２を配置する必要が無く、画像記録再生装置１０のデザイン性に影響することがない。
【００３８】
なお、本実施例ではビデオカメラを例にとり説明したが、本発明の画像記録再生装置はヒンジを用いたものであればデジタルスチルカメラでもよい。また、携帯電話やＰＤＡなどにおいても同様に利用できることは言うまでもない。
【図面の簡単な説明】
【００３９】
【図１】本発明の実施例に係る画像記録再生装置の斜視図（通常撮影状態）
【図２】画像表示部のヒンジユニット周辺を拡大した図
【図３】画像表示部が収納された状態の斜視図
【図４】図１の状態から画像表示部を反転させた状態の斜視図（対面撮影状態）
【図５】図４の状態から画像表示部が収納された状態の斜視図
【図６】図３の画像表示部を前面側（撮影時被写体側）より見た図
【図７】図５の画像表示部を前面側（撮影時被写体側）より見た図
【図８】図１の画像表示部を底面側より見た図と開閉検知スイッチ部分を拡大した図
【図９】図３の画像表示部を底面側より見た図
【図１０】図４の画像表示部を底面側より見た図
【図１１】図５の画像表示部を底面側より見た図
【図１２】図３の状態での複数方向操作スイッチ近傍の断面図
【図１３】本発明の実施例に係る画像記録再生装置の動作を示すフローチャート
【図１４】従来技術を説明する図
【符号の説明】
【００４０】
１０  画像記録再生装置
１１  電源／モード切替スイッチ
１２  収納部
１３  凹部形状
１４  ビューファインダー
１５  撮像レンズ
２０  画像表示エリア
２１  画像表示部
２２  複数方向操作スイッチ
２４  回路基板
３０  ヒンジユニット
３１ａ、３１ｂ  ヒンジベース
３２ａ、３２ｂ  開閉軸
３３  回転軸
３４  カバーＴ
３５  開閉検知スイッチ
３５ａ  開閉検知スイッチのスイッチ側レバー
３６  カバーＢ
３６ａ  リブ
３７  回転検知スイッチ
３７ａ  回転検知スイッチのスイッチ側レバー
３８  スイッチプレート
３８ａ  スイッチプレートのレバー
【図１】
0004566967.tif 000002
【図２】
0004566967.tif 000003
【図３】
0004566967.tif 000004
【図４】
0004566967.tif 000005
【図５】
0004566967.tif 000006
【図６】
0004566967.tif 000007
【図７】
0004566967.tif 000008
【図８】
0004566967.tif 000009
【図９】
0004566967.tif 000010
【図１０】
0004566967.tif 000011
【図１１】
0004566967.tif 000012
【図１２】
0004566967.tif 000013
【図１３】
0004566967.tif 000014
【図１４】
0004566967.tif 000015